(57)【要約】【課題】  通信リソースの浪費を抑制しつつ、不要な画像データの不特定多数への配信を抑制することが可能な、画像送信システムを提供すること。【解決手段】  この画像送信システム１０は、画像データの送信要求を受信する要求受信部１０４と、画像データへのアクセス回数が所定回数を超えていないか確認する第１確認部１０５と、当該確認の結果、アクセス回数が所定回数を超えていない場合に、受信側携帯電話機２５に向けてファイルを送信する第１送信部１０６と、当該ファイルの送信に応じて受信側携帯電話機２５から送信される、画像データの参照要求を受信する参照受信部１０７と、画像データへのアクセス回数が所定回数を超えていないか確認する第２確認部１０８と、当該確認の結果、アクセス回数が所定回数を超えていない場合に、受信側携帯電話機２５に向けて画像データを送信する第２送信部１０９と、を備える。【選択図】  図１
2006146706.tif 000002
【特許請求の範囲】
【請求項１】
送信側通信端末から送信される画像データを受信側通信端末において、マークアップ言語で記述されたファイルに埋め込んだ状態で閲覧させる画像送信システムであって、
前記受信側通信端末から送信される、前記画像データの送信要求を受信する要求受信手段と、
当該送信要求の受信に応じて、格納手段に格納されている前記画像データへのアクセス回数が所定回数を超えていないか確認する第１確認手段と、
当該確認の結果、前記アクセス回数が前記所定回数を超えていない場合に、前記受信側通信端末に向けて前記ファイルを送信する第１送信手段と、
当該ファイルの送信に応じて前記受信側通信端末から送信される、前記画像データの参照要求を受信する参照受信手段と、
当該参照要求の受信に応じて、前記アクセス回数が所定回数を超えていないか確認する第２確認手段と、
当該確認の結果、前記アクセス回数が前記所定回数を超えていない場合に、前記受信側通信端末に向けて前記画像データを送信する第２送信手段と、
を備える画像送信システム。
【請求項２】
前記第２送信手段が前記画像データを送信した場合に、前記格納手段に格納されている前記画像データへのアクセス回数に当該送信した回数を加算する加算手段を備える、請求項１に記載の画像送信システム。
【請求項３】
前記第１送信手段は、前記画像データを特定するための情報であって、前記ファイルの送信に応じた時刻を特定する情報を含む画像特定情報を前記ファイルに付加して送信し、
前記第２確認手段は、前記参照要求に含まれている前記画像特定情報に基づいて、前記時刻から所定時間経過していないか否かを判断し、所定時間経過していない場合に前記アクセス回数の確認を行う、請求項１又は２に記載の画像送信システム。
【請求項４】
送信側通信端末から送信される画像データを受信側通信端末において、マークアップ言語で記述されたファイルに埋め込んだ状態で閲覧させる画像送信方法であって、
要求受信手段が、前記受信側通信端末から送信される、前記画像データの送信要求を受信する要求受信ステップと、
第１確認手段が、当該送信要求の受信に応じて、格納手段に格納されている前記画像データへのアクセス回数が所定回数を超えていないか確認する第１確認ステップと、
前記第１確認ステップにおける確認の結果、前記アクセス回数が前記所定回数を超えていない場合に、第１送信手段が前記受信側通信端末に向けて前記ファイルを送信する第１送信ステップと、
参照受信手段が、前記第１送信ステップにおける前記ファイルの送信に応じて前記受信側通信端末から送信される、前記画像データの参照要求を受信する参照受信ステップと、
前記参照受信ステップにおける前記参照要求の受信に応じて、第２確認手段が前記アクセス回数が所定回数を超えていないか確認する第２確認ステップと、
前記第２確認ステップにおける確認の結果、前記アクセス回数が前記所定回数を超えていない場合に、第２送信手段が前記受信側通信端末に向けて前記画像データを送信する第２送信ステップと、
を備える画像送信方法。
【発明の詳細な説明】
【技術分野】
【０００１】
本発明は、画像送信システム及び画像送信方法に関するものである。
【背景技術】
【０００２】
インターネットを通じ、より表現力の豊かな情報を発信するため、送信側は、電子メールに画像データを添付して受信側に送信する場合がある。この電子メールが送信側の通信端末から送信されると、メールサーバを経由して受信側の通信端末に送信される。そのメールサーバは、受信側の通信端末がコンピュータの場合、電子メールに画像データを添付したまま、受信側の通信端末に送信する。一方、通信端末が携帯電話機の場合、添付されている画像データを別途格納し、その格納場所をＵＲＬ形式で指定し、電子メールに画像データの代わりに貼り付けて受信側の通信端末に知らせる方法を用いている。
【０００３】
ところで、送信側が悪意者である場合に、有害な画像データを添付した電子メールを不特定多数の人に配信する恐れがある。この有害な画像データの配信を阻止する手法は様々考えられるが、一手法として同一画像データを多数の通信端末宛に配信することを検知することが考えられる。通信端末が携帯電話機の場合には、電子メールに添付されたＵＲＬのアクセス回数をカウントし、同一のＵＲＬに一定以上のアクセスがあった場合に有害な画像データが配信されているものとしている。尚、このようなカウントの手法の一例が下記特許文献１に記載されている。
【特許文献１】特開２００２−３５１７３２号公報（段落番号００２５〜００２６）
【発明の開示】
【発明が解決しようとする課題】
【０００４】
ところで、送信する画像データが受信側の通信端末において一画面に表示される場合には、上述のＵＲＬへのアクセスに対して画像データのみを送信することで対応できる。しかしながら、例えば画像データが連続する静止画像である場合には、受信側の通信端末の表示部分のサイズ等の関係から、その連続する静止画像が表示部分の左隅に表示されてしまう。従って、その一連の静止画像を表示部分の中央部分といった適切な配置して閲覧させる必要がある。複数の静止画像を適切な位置に配置する手法としては、マークアップ言語（例えば、ＨＴＭＬ）で記述されたファイルに画像データを埋め込んで閲覧させる手法が考えられる。
【０００５】
この手法を適用しようとすると、受信側の通信端末（携帯電話機）において受信した電子メール中のＵＲＬにアクセスした場合に、画像データの代わりに画像データを埋め込む位置を指定したＨＴＭＬファイルをまず送信する。そのＨＴＭＬファイルを受信した受信側の通信端末から、埋め込むべき画像データの要求が送信され、それに応じて画像データを送信する。そして、受信側の通信端末において、ＨＴＭＬファイルの所定の位置に画像データを埋め込んで閲覧することができる。
【０００６】
本発明者らは、このような状況においても、ある特定の画像データへのアクセスを的確に把握し、有害な画像データといった不要な画像データの配信を抑制することができないか検討を行った。
【０００７】
そこで本発明では、不要な画像データの不特定多数への配信を抑制することが可能な、画像送信システム及び画像送信方法を提供することを課題にする。
【課題を解決するための手段】
【０００８】
上記課題を解決するために、本発明の画像送信システムは、送信側通信端末から送信される画像データを受信側通信端末において、マークアップ言語で記述されたファイルに埋め込んだ状態で閲覧させる画像送信システムであって、受信側通信端末から送信される、画像データの送信要求を受信する要求受信手段と、当該送信要求の受信に応じて、格納手段に格納されている画像データへのアクセス回数が所定回数を超えていないか確認する第１確認手段と、当該確認の結果、アクセス回数が所定回数を超えていない場合に、受信側通信端末に向けてファイルを送信する第１送信手段と、当該ファイルの送信に応じて受信側通信端末から送信される、画像データの参照要求を受信する参照受信手段と、当該参照要求の受信に応じて、アクセス回数が所定回数を超えていないか確認する第２確認手段と、当該確認の結果、アクセス回数が所定回数を超えていない場合に、受信側通信端末に向けて画像データを送信する第２送信手段と、を備える。
【０００９】
本発明の画像送信方法は、送信側通信端末から送信される画像データを受信側通信端末において、マークアップ言語で記述されたファイルに埋め込んだ状態で閲覧させる画像送信方法であって、要求受信手段が、受信側通信端末から送信される、画像データの送信要求を受信する要求受信ステップと、第１確認手段が、当該送信要求の受信に応じて、格納手段に格納されている画像データへのアクセス回数が所定回数を超えていないか確認する第１確認ステップと、第１確認ステップにおける確認の結果、アクセス回数が所定回数を超えていない場合に、第１送信手段が受信側通信端末に向けてファイルを送信する第１送信ステップと、参照受信手段が、第１送信ステップにおけるファイルの送信に応じて受信側通信端末から送信される、画像データの参照要求を受信する参照受信ステップと、参照受信ステップにおける参照要求の受信に応じて、第２確認手段が、アクセス回数が所定回数を超えていないか確認する第２確認ステップと、第２確認ステップにおける確認の結果、アクセス回数が所定回数を超えていない場合に、第２送信手段が受信側通信端末に向けて画像データを送信する第２送信ステップと、を備える。
【００１０】
本発明の画像送信システムによれば、受信側通信端末において画像データを埋め込んで表示するファイルを送信する際に、その画像データへのアクセス回数を確認するので、ファイル送信の段階で必要以上にアクセスされた画像データに対応するものを排除できる。また、ファイルの送信に応じて受信側通信端末から送信される参照要求に対して画像データを送信する際にも、その画像データへのアクセス回数を確認するので、例えば、ファイルの送信を要求せずに画像データに直接アクセスさせることによる配信といったように、ファイル送信の際の確認だけでは排除できないものを排除できる。また、本発明の画像送信方法によっても同様の作用を奏する。
【００１１】
また本発明の画像送信システムにおいては、第２送信手段が画像データを送信した場合に、格納手段に格納されている画像データへのアクセス回数に当該送信した回数を加算する加算手段をさらに備えるようにしてもよい。画像データを受信側通信端末に送信した時点でアクセス回数を加算することで、実際に画像データを送信した回数を的確に把握できる。
【００１２】
また本発明の画像送信システムにおいては、第１送信手段は、画像データを特定するための情報であって、ファイルの送信に応じた時刻を特定する情報を含む画像特定情報をファイルに付加して送信し、第２確認手段は、参照要求に含まれている画像特定情報に基づいて、ファイルの送信に応じた時刻から所定時間経過していないか否かを判断し、所定時間経過していない場合にアクセス回数の確認を行うようにしてもよい。アクセス回数の確認を行うのに先立って、ファイルを送信してから画像データを参照されるまでの時間が所定時間経過していないか確認するので、ファイルの送信から画像データの参照までに所定以上の時間を要したものについて画像データを送信しないようにできる。
【発明の効果】
【００１３】
本発明によれば、ファイル送信の際と画像データの送信の際との双方においてアクセス回数を確認しているので、不要な画像データの不特定多数への配信を抑制することが可能となる。
【発明を実施するための最良の形態】
【００１４】
本発明の知見は、例示のみのために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００１５】
まず、本発明の実施形態である画像送信システム１０の構成について、図１を参照しながら説明する。画像送信システム１０は、送信側の携帯電話機２０（送信側通信端末）及び受信側の携帯電話機２５（受信側通信端末）と移動体通信網３０を介して通信可能なように構成されている。移動体通信網３０は、音声通話のための音声通信網と、データ通信のためのパケット通信網又はデータ通信のための回線交換網を含むものである。
【００１６】
携帯電話機２０及び携帯電話機２５は、その機種によって特定種類の画像データの再生が可能であったり、不可能であったりする。本実施形態では、携帯電話機２０は動画の画像データを取り扱うことができるものとし、携帯電話機２５は動画の画像データを取り扱うことができないものとしている。携帯電話機２５では、連続静止画の画像データを取り扱うことができるものとする。この連続静止画の画像データは、動画の画像データを複数の連続静止画に変換し、ＨＴＭＬといったマークアップ言語で記述されたファイルに埋め込んだ状態で閲覧することが可能な画像データである。
【００１７】
受信側の携帯電話機２５には、画像データの格納場所をＵＲＬで記述した情報が添付された電子メールが送信され、携帯電話機２５の表示部（図示しない）において図２に示すように表示される。携帯電話機２５のユーザが、図２に示すＵＲＬをクリックすると、図３に示すように連続静止画の画像データがＨＴＭＬファイルに埋め込まれて、時間の経過に従って順次表示される。このように本実施形態では、連続静止画の再生に関して、複数の連続静止画を携帯電話機２５が内蔵している連続静止画再生機能により、なるべく動画に見えるよう再生する方法を採択している。また、携帯電話機２５の機種により画面の大きさが異なることや、再生する画像の種類により画面上で占める面積が異なるなどの理由で、いくつかの再生パターンをＨＴＭＬのようなマークアップ言語を用いて設けている。このようにＵＲＬを記述した情報が添付された電子メールを送信する態様による画像データの提供を行う理由は次のようなものである。一つには、電子メールに画像データが添付された場合に、その画像データ添付の電子メールを受信できる機能を持たない携帯電話機の場合にも、ブラウザ上で画像データを表示させるためである。また別の理由は、画像データのデータサイズがテキストデータに比較して大きいため、画像データの受信可否を受信者側で判断できるようにするためである。また別の理由は、大きなデータサイズの画像データが全てネットワーク上を流れることによる、トラフィックの輻輳といった通信リソースの浪費を回避するためである。
【００１８】
図１に戻り、画像送信システム１０について説明する。画像送信システム１０は、物理的には、ＣＰＵ（中央処理装置）、メモリ、マウスやキーボードといった入力装置、ディスプレイといった表示装置、ハードディスクといった格納装置、通信装置などを備えたコンピュータシステムとして構成されている。
【００１９】
画像送信システム１０は、機能的な構成要素として、受信部１０１と、画像処理部１０２と、メール送信部１０３と、要求受信部（要求受信手段）１０４と、第１確認部（第１確認手段）１０５と、第１送信部（第１送信手段）１０６と、参照受信部（参照受信手段）１０７と、第２確認部（第２確認手段）１０８と、第２送信部（第２送信手段）１０９と、加算部（加算手段）１１０、画像変換部１１１と、画像情報格納部（格納手段）２００と、を含む。引き続いて、各構成要素について詳細に説明する。
【００２０】
受信部１０１は、携帯電話機２０から携帯電話機２５に向けて送信される電子メールを受信する部分である。この電子メールには携帯電話機２０において添付された動画の画像データが添付されている。受信部１０１は、受信した電子メール本文及び動画の画像データを画像処理部１０２に出力する。
【００２１】
画像処理部１０２は、受信部１０１が受信した電子メール本文及び添付されている動画の画像データに基づいて、その電子メールを携帯電話機２５へ転送する処理を行う部分である。より具体的には、画像処理部１０２は、動画の画像データを画像情報格納部２００に格納する。画像情報格納部２００に格納されている情報の例を図４に示す。図４に示すように、画像情報格納部２００には、「格納位置」「格納時刻」「動画データ」「連続静止画データ」「アクセス回数」を格納する領域がそれぞれ関連付けられている。図４を参照しながら画像処理部１０２の動作を説明する。
【００２２】
画像処理部１０２は、動画の画像データを格納した位置を特定するための情報と、格納した動画の画像データを関連付けて図４に示すように格納する。画像処理部１０２は、格納した位置の情報（図４では「００１」）と、格納時刻（例えば、「２３時１５分２０秒」）とに基づいて動画ＩＤ（例えば、「ＩＤＡ００１」）を生成する。
【００２３】
図１に戻り、画像処理部１０２は、生成した動画ＩＤ（例えば、「ＩＤＡ００１」）を電子メール本文に記載のＵＲＬに埋め込んでメール送信部１０３に出力する。メール送信部１０３は、画像処理部１０２から出力された電子メールを携帯電話機２５に送信する。この電子メールが携帯電話機２５で参照されると、既に説明した図２のような状態になる。携帯電話機２５において図２に示したＵＲＬがクリックされると、動画の画像データの送信要求として画像送信システム１０に送信される。
【００２４】
要求受信部１０４は、携帯電話機２５において、指定されたＵＲＬをクリックすることにより送信される動画の画像データの送信要求を受信する部分である。この送信要求には、ＵＲＬに含まれている動画ＩＤ（例えば、「ＩＤＡ００１」）に加え、移動体通信網３０において携帯電話機２５の機種を特定する機種情報が付加される。要求受信部１０４は、受信した送信要求及び機種情報を第１確認部１０５に出力する。
【００２５】
第１確認部１０５は、送信要求の受信に応じて、画像情報格納部２００に格納されている画像データへのアクセス回数が所定回数（本実施形態の場合は５０回）を超えていないか確認する部分である。より具体的には、第１確認部１０５は、送信要求に含まれている動画ＩＤ（例えば、「ＩＤＡ００１」）に基づいて、対応する情報の画像情報格納部２００における格納位置（図４では「００１」）を特定し、画像情報格納部２００に格納されている情報（図４）を参照し、その動画ＩＤ（例えば、「ＩＤＡ００１」）に対応するアクセス回数が所定回数を超えていないか確認する。
【００２６】
アクセス回数が所定回数を超えていれば第１確認部１０５は処理を終了し、運用者へアクセス回数超過の警告を送信する。アクセス回数が所定回数以下であれば、第１確認部１０５は、機種情報に基づいて携帯電話機２５において動画の画像データを取り扱うことが可能か判断する。可能であると判断すると、第１確認部１０５は、画像情報格納部２００から動画の画像データ「ｍｏｖ００１．ｄａｔ」を取り出して第１送信部１０６に出力する。第１確認部１０５は、取り出した画像データのアクセス回数をカウントアップするために、画像情報格納部２００に格納されているアクセス回数の情報を更新する。
【００２７】
一方、携帯電話機２５において動画の画像データを取り扱うことができないと判断すると、第１確認部１０５は、画像変換部１１１に画像変換の要求を出力する。画像変換部１１１は、この画像変換の要求に応じて連続静止画の画像データ「ｉｍｇ００１．ｇｉｆ」を生成して画像情報格納部２００に格納する。図４はこの変換前の状態を示し、図５は変換後の状態を示す。画像変換部１１１は、連続静止画の画像データ「ｉｍｇ００１．ｇｉｆ」を生成した後に、画像データ生成の要求時刻と動画ＩＤ（例えば、「ＩＤＡ００１」）とに基づいて、静止画ＩＤ（例えば、「ＩＤＢ００１」）を生成する。より具体的には画像データ生成の要求時刻に所定時間を加算した時刻情報を生成し、その生成した時刻情報と動画ＩＤとを含む静止画ＩＤ（例えば、「ＩＤＢ００１」）を生成する。第１確認部１０５は、静止画ＩＤ（例えば、「ＩＤＡ００１」）を含むＵＲＬをＨＴＭＬファイルに記述し、そのＨＴＭＬファイルを第１送信部１０６に出力する。
【００２８】
第１送信部１０６は、第１確認部１０５から出力されるデータを携帯電話機２５に送信する部分である。より具体的には、第１確認部１０５から動画の画像データ「ｍｏｖ００１．ｄａｔ」が出力されれば、その動画の画像データ「ｍｏｖ００１．ｄａｔ」を携帯電話機２５に送信する。一方、第１確認部１０５からＨＴＭＬファイルが出力されれば、そのＨＴＭＬファイルを携帯電話機２５に送信する。携帯電話機２５では、動画の画像データ「ｍｏｖ００１．ｄａｔ」を受信するとそのまま参照可能な状態になる。また、携帯電話機２５がＨＴＭＬファイルを受信すると、そのＨＴＭＬファイルに記述されているＵＲＬに基づいて連続静止画の画像データ「ｉｍｇ００１．ｇｉｆ」の参照要求を画像送信システム１０に送信する。
【００２９】
参照受信部１０７は、携帯電話機２５から送信される、連続静止画の画像データ「ｉｍｇ００１．ｇｉｆ」に対する参照要求を受信する部分である。参照受信部１０７は、受信した参照要求を第２確認部１０８に出力する。
【００３０】
第２確認部１０８は、参照要求に応じ、第１送信部１０６がＨＴＭＬファイルを送信してから所定時間経過していないか確認する部分である。参照要求には静止画ＩＤ（例えば、「ＩＤＢ００１」）が含まれており、静止画ＩＤ（例えば、「ＩＤＢ００１」）は動画ＩＤ（例えば、「ＩＤＡ００１」）と時刻情報（画像データ生成の要求時刻に所定時間を加算した時刻）とに基づいて生成されているので、第２確認部１０８は時刻情報と現在時刻とを比較することで所定時間の経過について判断することができる。
【００３１】
第２確認部１０８は、ＨＴＭＬファイルを送信してから所定時間が経過していないと判断した場合には、アクセス回数が所定回数を超えていないか判断する。より具体的には、図４を参照しながら説明した画像情報格納部２００の領域を参照し、対応する格納位置に関連付けられたアクセス回数が所定回数を超えていないか判断する。参照要求に含まれる静止画ＩＤ（例えば、「ＩＤＢ００１」）は動画ＩＤ（例えば、「ＩＤＡ００１」）を含むので、動画ＩＤ（例えば、「ＩＤＡ００１」）が含んでいる格納位置の情報（図４では「００１」）を特定できる。アクセス回数が所定回数を超えていない場合には、第２確認部１０８は連続静止画の画像データを取り出して第２送信部１０９に出力する。
【００３２】
第２送信部１０９は、第２確認部１０８から出力された連続静止画の画像データ「ｉｍｇ００１．ｇｉｆ」を携帯電話機２５に送信する部分である。第２送信部１０９は連続静止画の画像データ「ｉｍｇ００１．ｇｉｆ」を送信すると、その送信した連続静止画の静止画ＩＤ（例えば、「ＩＤＢ００１」）を加算部１１０に出力する。
【００３３】
加算部１１０は、前記第２送信部１０９が連続静止画の画像データを送信した場合に、画像情報格納部２００に格納されているアクセス回数の情報に、送信した回数を加算する部分である。静止画ＩＤ（例えば、「ＩＤＢ００１」）は動画ＩＤ（例えば、「ＩＤＡ００１」）を含むので、動画ＩＤ（例えば、「ＩＤＡ００１」）が含んでいる格納位置の情報（図４、５では「００１」）を特定でき、アクセス回数の情報に送信回数を加算することが可能となる。
【００３４】
続いて、本実施形態にかかる画像送信システムの動作について説明し、併せて、本実施形態にかかる画像送信方法について、図６〜図８を用いて説明する。まず、送信側の携帯電話機２０から動画データを受信し、受信側の携帯電話機２５にその旨を知らせるまでの手順を、図６のフローチャートを参照しながら説明する。
【００３５】
受信部１０１は、携帯電話機２０から送信される電子メールとそれに添付された動画の画像データを受信する（ステップＳ０１）。受信部１０１は、受信した電子メール本文及び動画の画像データを画像処理部１０２に出力する。
【００３６】
画像処理部１０２は、受信部１０１が受信した動画の画像データを画像情報格納部２００に格納する（ステップＳ０２）。画像処理部１０２は、その格納した位置を示す格納位置の情報と格納時刻とに基づいて動画ＩＤを生成する（ステップＳ０３）。
【００３７】
画像処理部１０２は、生成した動画ＩＤを電子メール本文に埋め込んでメール送信部１０３に出力する。メール送信部１０３は、画像処理部１０２から出力された電子メールを携帯電話機２５に送信する（ステップＳ０４）。
【００３８】
続いて、電子メールを受け取った携帯電話機２５が、画像データを受信するまでの手順について、図７及び図８を参照しながら説明する。携帯電話機２５においてユーザが、電子メール本文に埋め込まれたＵＲＬをクリックすると、動画の画像データに対する送信要求が画像送信システム１０に送信される。この送信要求は要求受信部１０４が受信し、受信した送信要求は第１確認部に出力される（ステップＳ１１）。
【００３９】
第１確認部１０５は、送信要求に対応する動画の画像データへのアクセス回数が、予め定められた所定回数を超えているか否か確認する（ステップＳ１２）。所定回数を超えていれば、第１確認部１０５は運用者にアクセス回数超過の警告を送信する（ステップＳ１３）。所定回数を超えていなければ、第１確認部１０５は、携帯電話機２５において動画の画像データが取り扱い可能か判断する（ステップＳ１４）
【００４０】
携帯電話機２５において動画の画像データが取り扱い可能であれば、第１確認部１０５はアクセス回数を加算する（ステップＳ１５）。その後、第１確認部１０５は動画の画像データを取り出して第１送信部１０６に出力する。第１送信部１０６は、動画の画像データを携帯電話機２５に送信する（ステップＳ１６）。
【００４１】
ステップＳ１４の判断の結果、携帯電話機２５において動画の画像データが取り扱い不可能であれば、第１確認部１０５から画像変換部１１１へ連続静止画への変換要求が出力される（図８参照）。画像変換部１１１は、この変換要求の出力に応じて連続静止画の画像データを生成して画像情報格納部２００に格納する。画像変換部１１１は、連続静止画の画像データを生成した後に、画像データ生成の要求時刻と動画ＩＤとに基づいて、静止画ＩＤを生成する。第１確認部１０５は、連続静止画の格納位置を含むＵＲＬをＨＴＭＬファイルに記述し、そのＨＴＭＬファイルを第１送信部１０６に出力する（ステップＳ２１）。
【００４２】
第１送信部１０６は出力されたＨＴＭＬファイルを携帯電話機２５に送信する（ステップＳ２２）。このＨＴＭＬファイルの送信に応じて携帯電話機２５からは、連続静止画の画像データに対する参照要求が送信される。参照受信部１０７が、この送信された参照要求を受信する（ステップＳ２３）。参照受信部１０７は、受信した参照要求を第２確認部１０８に出力する。
【００４３】
第２確認部１０８が、参照要求に基づいて画像情報格納部２００に格納されているデータを参照し、第１送信部１０６がＨＴＭＬファイルを送信してから所定時間経過していないか確認する（ステップＳ２４）。
【００４４】
ステップＳ２４において、ＨＴＭＬファイルを送信してから所定時間が経過していないと判断した場合には、第２確認部１０８はアクセス回数が所定回数を超えていないか判断する（ステップＳ２５）。アクセス回数が所定回数を超えていない場合には、第２確認部１０８は連続静止画の画像データを取り出して第２送信部１０９に出力する。
【００４５】
第２送信部１０９が、第２確認部１０８から出力された連続静止画の画像データを携帯電話機２５に送信する（ステップＳ２７）。第２送信部１０９は連続静止画の画像データを送信すると、その送信した連続静止画の静止画ＩＤを加算部１１０に出力する。加算部１１０が、画像情報格納部２００に格納されているアクセス回数の情報に、送信した回数を加算する（ステップＳ２８）。
【００４６】
ステップＳ２４において所定時間を経過していると判断した場合、及びステップＳ２５において所定回数を超えていると判断した場合には、運用者にアクセス回数超過の警告が送信される（ステップＳ２６）。
【００４７】
続いて、本実施形態の作用及び効果について説明する。本実施形態の画像送信システム１０によれば、受信側の携帯電話機２５において連続静止画の画像データを埋め込んで表示するＨＴＭＬファイルを送信する際に、その画像データへのアクセス回数を確認するので、ファイル送信の段階で必要以上にアクセスされた画像データに対応するものを排除できる。
【００４８】
また、ファイルの送信に応じて受信側の携帯電話機２５から送信される参照要求に対して画像データを送信する際にも、その画像データへのアクセス回数を確認するので、例えば、ファイルの送信を要求せずに画像データに直接アクセスさせることによる配信といったように、ファイル送信の際の確認だけでは排除できないものを排除できる。
【００４９】
また、本実施形態の画像送信システム１０によれば、画像データを受信側の携帯電話機２５に送信した時点でアクセス回数を加算することで、実際に画像データを送信した回数を的確に把握できる。従って、送信途中の回線の切断、又は、受信側の携帯電話機２５からの受信キャンセルなどのような場合には累積アクセス回数を加算せず、実際に画像データを送信した回数を的確に把握できる。
【００５０】
また、本実施形態の画像送信システム１０によれば、アクセス回数の確認を行うのに先立って、ファイルを送信してから画像データを参照されるまでの時間が所定時間経過していないか確認するので、ファイルの送信から画像データの参照までに所定以上の時間を要したものについて画像データを送信しないようにできる。
尚、本実施形態では、アクセス回数が所定回数（５０回）を超えると、アクセス回数が超過したものと判断しているが、この所定回数はユーザからの要請に応じて変更可能に構成してもよい。
【図面の簡単な説明】
【００５１】
【図１】本発明の実施形態である画像送信システムを説明するための図である。
【図２】画像データの受信に対し、受信側の携帯電話機に送るメールの一例を示す図である。
【図３】受信側の携帯電話機において連続静止画を参照する形態を示す図である。
【図４】画像データを参照する前に、図１の画像情報格納部に格納される情報の一例を示した図である。
【図５】画像データを参照した後に、図１の画像情報格納部に格納される情報の一例を示した図である。
【図６】図1の画像送信システムを用いて、画像データを送信する方法を示したフローチャートである。
【図７】図1の画像送信システムを用いて、画像データを送信する方法を示したフローチャートである。
【図８】図1の画像送信システムを用いて、画像データを送信する方法を示したフローチャートである。
【符号の説明】
【００５２】
１０…画像送信システム、２０…携帯電話機、２５…携帯電話機、３０…移動体通信網、１０１…受信部、１０２…画像処理部、１０３…メール送信部、１０４…要求受信部、１０５…第１確認部、１０６…第１送信部、１０７…参照受信部、１０８…第２確認部、１０９…第２送信部、１１０…加算部、１１１…画像変換部、２００…画像情報格納部。  
【図１】
2006146706.tif 000003
【図２】
2006146706.tif 000004
【図３】
2006146706.tif 000005
【図４】
2006146706.tif 000006
【図５】
2006146706.tif 000007
【図６】
2006146706.tif 000008
【図７】
2006146706.tif 000009
【図８】
2006146706.tif 000010